(57)【特許請求の範囲】
【請求項１】
網板同士を互いに連結する連結具にして、
前記網板の縦枠杆に嵌合する１対の軸線方向に延びる第１縦係合溝と、前記網板の横杆に嵌合する軸線方向と交差する方向に延びる横係合溝とを有する本体部分と、
前記網板の縦枠杆に嵌合する１対の軸線方向に延びる第２縦係合溝を有し、前記本体部分に対して軸線方向にスライド可能で、本体部分から最も離れた位置までスライドさせたときに該本体部分に対して回動可能で、且つ本体部分に最も接近した位置までスライドさせたときに本体部分と係脱自在に係止し得るように連結されスライド部材とを具備し、
前記１対の第２係合溝を、前記スライド部材を前記本体部分に対して回動させて該本体部分の軸線方向に沿うように起立させたとき、前記網板の縦枠杆に嵌合し、前記スライド部材を前記本体部分に対して回動させて倒したときに、前記網板の縦枠杆から外れるように構成し、
前記第１係合溝と前記第２係合溝とで前記網板の縦枠杆の全周を囲繞するように構成してなることを特徴とする網板用連結具。
【請求項２】
請求項１に記載の網板連結具にして、
前記本体部分の端部には、該端部から突出して軸線方向に延びる連結アームを形成し、前記スライド部材には、該連結アームがスライド可能に係合する軸線方向に延びる連結孔を形成して、これら連結アームと連結孔との係合によって前記スライド部材を前記本体部分に軸線方向にスライド可能に連結することを特徴とする網板用連結具。
【請求項３】
請求項２に記載の網板連結具にして、
前記連結アームの先端部側面には、突起を形成し、前記連結孔内の一端部には、該突起が回動可能に係合する軸受段部を形成し、前記スライド部材が前記本体部分に対して最も離れた位置にあるときに、前記突起と前記軸受段部との係合を介して前記スライド部材が前記本体部分に対して回動可能となることを特徴とする網板用連結具。
【請求項４】
請求項３に記載の網板連結具にして、
前記連結アームは、前記本体部分の軸線に対し傾斜し、前記連結孔の他端部の内壁面には、前記スライド部材を前記本体部分に対して最も接近させた位置にスライドさせたとき、前記連結アームの先端部及び突起が音を発して係止する係止段部を形成してなることを特徴とする網板用連結具。
【発明の詳細な説明】
【０００１】
【発明の属する技術分野】
本発明は、縦枠杆と横杆とからなる網板同士を互いに連結するための網板用連結具に関する。
【０００２】
【発明が解決しようとする課題】
従来より、縦枠杆と横杆とからなる矩形状網板の枠杆（縦枠杆）同士を互いに連結して、例えばペット用のカゴを組み立てるための連結具が種々提案されている。例えば、連結具本体の背面側で開口する、軸線方向に延びる互いに平行な１対の縦溝と、該縦溝と直交する方向に延び、同じく連結具本体の背面側で開口する、横溝とを有する連結具が提案されている。
【０００３】
前記連結具によれば、連結しようとする一方の網板の縦枠杆を一方の縦溝に嵌合すると共に、横杆を横溝に嵌合し、また他方の網板の縦枠杆を他方の縦溝に嵌合すると共に、横杆を横溝に嵌合することにより、隣接する網板同士を連結することができる。
【０００４】
前記縦溝は、縦枠杆を嵌合させる際、弾性変形して若干押し広げられ、縦枠杆が隙間なく嵌合（圧入）するように、内径が設定されている。したがって、前記連結具によって矩形状網板の枠杆（縦枠杆）同士を互いに連結した後には、網板から容易に外れないようになっている。
【０００５】
しかしながら、前記連結具は、通常、外観上等の理由から、連結具本体の前面をカゴの外側に向け、縦溝、横溝の開口部がある連結具本体の背面側をカゴの内側に向けて取り付けているために、例えばカゴ内の犬、猫等が連結具本体の背面を引っ掻いたり、咬んだりすると、連結具が網板から外れるおそれがあった。
【０００６】
連結具が網板から外れないようにするには、縦溝の内径を小さく設定して縦枠杆が縦溝内に強固に嵌合するように形成することが考えられるが、縦溝に縦枠杆を嵌合して網板同士を連結する組み立て作業が極めて困難となる新たな問題が生じる。
【０００７】
本発明は、上記事情に鑑みてなされたもので、取り付けが容易である上に、カゴ内の犬、猫等が引っ掻いたり、咬んだりしても網板から外れるおそれのない、網板用連結具を提供することを目的とする。
【０００８】
【課題を解決するための手段】
上記目的を達成する本発明は、網板同士を互いに連結する連結具にして、前記網板の縦枠杆に嵌合する１対の軸線方向に延びる第１縦係合溝と、前記網板の横杆に嵌合する軸線方向と交差する方向に延びる横係合溝とを有する本体部分と、前記網板の縦枠杆に嵌合する１対の軸線方向に延びる第２縦係合溝を有し、前記本体部分に対して軸線方向にスライド可能で、本体部分から最も離れた位置までスライドさせたときに該本体部分に対して回動可能で、且つ本体部分に最も接近した位置までスライドさせたときに本体部分と係脱自在に係止し得るように連結されスライド部材とを具備し、前記１対の第２係合溝を、前記スライド部材を前記本体部分に対して回動させて該本体部分の軸線方向に沿うように起立させたとき、前記網板の縦枠杆に嵌合し、前記スライド部材を前記本体部分に対して回動させて倒したとき、前記網板の縦枠杆から外れるように構成し、前記第１係合溝と前記第２係合溝とで前記網板の縦枠杆の全周を囲繞するように構成してなることを特徴としている。
【０００９】
本発明の網板用連結具によれば、スライド部材を本体部分から最も離れる位置までスライドさせた後、第２係合溝から縦枠杆が外れるようにスライド部材を本体部分に対して回動させなければ、連結具を網板から外すことができない。このため、カゴ内の犬、猫が連結具を引っ掻いたり、咬んだりしても、連結具は網板から外れるおそれはない。
【００１０】
【発明の実施の形態】
以下、本発明の連結具の一実施例について添付図面を参照して説明する。
【００１１】
図１は本発明の連結具の一実施例を示す正面図、図２は同平面図、図３は本体部分の正面図、図４は同平面図、図５は同底面図、図６は同側面図、図７はスライド部材の正面図、図８は同平面図、図９は同側面図、図１０乃至図１２は図１に示す連結具を網板に取り付ける過程を説明するための一部切欠して示した説明側面図、図１３乃至図１５は図１に示す連結具を網板に取り付ける過程を説明するための説明斜視図、図１６は図１の連結具を使用して組み立てたカゴの斜視図である。
【００１２】
図１及び図２に示す本実施例の連結具は、例えば合成樹脂製で、本体部分１０と、この本体部分１０に対して軸線方向にスライド可能で、本体部分１０から最も離れた位置までスライドさせたとき、該スライド位置で本体部分１０に対して回動可能で、且つ本体部分１０に最も接近した位置までスライドさせたとき、該位置で本体部分１０と係脱自在に係止し得るように連結されたスライド部材２０とから構成される。
【００１３】
本体部分１０には、図３乃至図６に示すように、その背面側の下方に網板５０（図１６参照）の縦枠杆５１に嵌合する左右１対の互いに平行な軸線方向に延びる第１係合溝１１、１２が形成され、またその背面側の上方に網板５０の縦枠杆５１間に設けた横杆５２に嵌合する軸線方向と直交する方向に延びる横係合溝１３が形成され、さらにその上端面中央部に上方に突出するように軸線方向に延びる左右１対の連結アーム１４、１５が形成される。
【００１４】
第１縦係合溝１１、１２は、断面略Ｃ字状で、その開口部１１ａ、１２ａが互いに対向している。また、連結アーム１４、１５の先端部の外側面には、１対の突起１６、１７が形成される。連結アーム１４、１５は、図６に示すように、僅かではあるが本体部分１０の背面側に傾斜している。
【００１５】
スライド部材２０には、図７乃至図９に示すように、その背面側に網板５０（図１６参照）の縦枠杆５１に嵌合する左右１対の互いに平行な軸線方向に延びる第２縦係合溝２１、２２が形成され、また本体部分１０の連結アーム１４、１５がスライド可能に係合する軸線方向に延びて貫通する断面方形状の連結孔２３が形成される。
【００１６】
第２縦係合溝２１、２２は、断面略Ｕ字状で、その開口部２１ａ、２２ａはスライド部材２０の背面側に向いている。この断面略Ｕ字状の第２縦係合溝２１、２２と断面略Ｃ字状第１縦係合溝１１、１２とを組み合わせることによって、網板５０の縦枠杆５１の全周が囲繞される（図２参照）。また、連結孔２３内の下端部両側には、連結アーム１４、１５の突起１６、１７が回動可能に係合し且つ連結孔２３から連結アーム１４、１５が抜け出るのを防止する軸受段部２４、２５が形成され、また連結孔２３内の上端部の内壁面（底壁面）には、連結アーム１４、１５の先端部及び突起１６、１７が係脱自在に係止する係止段部２６が形成される。
【００１７】
したがって、スライド部材２０は、連結アーム１４、１５と連結孔２３との係合を介して本体部分１０にスライド可能に連結される。
【００１８】
また、スライド部材２０を本体部分１０に対して最も離れた位置までスライドさせたときには、連結アーム１４、１５の先端の突起１６、１７が連結孔２３の下端部の軸受段部２４、２５に係合し、これら突起１６、１７と軸受段部２４、２５との係合を介してスライド部材２０が本体部分１０に対して略９０°の範囲で回動可能となる（図１０参照）。
【００１９】
さらに、スライド部材２０を本体部分１０に対して最も接近した位置まで（スライド部材２０の底面が本体部分１０の上端面に接するまで）スライドさせたときには、連結アーム１４、１５の先端部及び突起１６、１７が、連結孔２３の上端部の係止段部２６に係止する。ここで、連結アーム１４、１５は、本体部分１０の上端面に対して垂直に起立しておらず、僅かではあるが本体部分１０の背面側に傾斜しており（図６、図１０乃至図１２参照）、このため連結アーム１４、１５が連結孔２３内をスライドする過程でスライド部材２０（連結孔２３）により弾性変形して（撓んで）、該連結孔２３の内壁面（底壁面）に圧接する。そして、連結アーム１４、１５が係止段部２６の箇所までスライドしてくると、スライド部材２０（連結孔２３）からの拘束から解放され、連結アーム１４、１５の復元弾発力によって連結アーム１４、１５の先端部及び突起１６、１７が係止段部２６に“カチン”と音を発しながら係止する（図１２参照）。
【００２０】
なお、連結孔２３の天井壁面は真っすぐであるが、係止段部２６が形成された内壁面（底壁面）は、連結アーム１４、１５と同様に傾斜しており、このため連結アーム１４、１５が連結孔２３内をスライドするとき、連結アーム１４、１５に無理な力が作用しないようにしてある。
【００２１】
次に、上記実施例の連結具を使用して網板を連結してカゴを組み立てる方法を説明する。
【００２２】
まず、図１３に示すように、連結しようとする各網板５０の縦枠杆５１を互いに隣接するように並べ、また、スライド部材２０を本体部分１０に対して最も離れた位置にスライドさせて軸受段部２４、２５を連結アーム１４、１５の先端部の突起１６、１７に係合させ、これら軸受段部２４、２５と突起１６、１７との係合を介してスライド部材２０を連結アーム１４、１５に対して略９０°回動させて略水平状態に倒しておく。次いで、図１０、図１４に示すように、第１縦係合溝１１に一方の網板５０の縦枠杆５１を嵌合し、また第１縦係合溝１２に他方の網板５０の縦枠杆５１を嵌合する。また、横係合溝１３には、各網板５０の横杆５２をそれぞれ嵌合する。次いで、図１１、図１５に示すように、スライド部材２０を軸受段部２４、２５と突起１６、１７との係合を介して回動して起立させて本体部分１０の軸線方向に沿うようにすると、第２縦係合溝２１、２２が縦枠杆５１に嵌合する。この後、スライド部材２０を、その底面が本体部分１０の上端面に当接するまで本体部分１０に接近するようにスライドさせると、連結アーム１４、１５が連結孔２３内をスライドして“カチン”とうい音を発して連結アーム１４、１５の先端部及び突起１６、１７が連結孔２３の係止段部２６に係止する。これにより、スライド部材２０は本体部分１０の上端面に重なった状態で、本体部分１０に対してスライドしないように固定状態に保持され、また第１縦係合溝１１、１２と第２縦係合溝２１、２２とで隣接する各縦枠杆５１の全周を囲繞する。このようにして、網板５０同士を連結して図１６に示すようにカゴを組み立てることができる。
【００２３】
上述したように組み立てたカゴを解体するには、まず連結アーム１４、１５の先端部及び突起１６、１７を係止段部２６から外して、スライド部材２０を、本体部分１０に対して、軸受段部２４、２５が連結アーム１４、１５の先端部の突起１６、１７に係合するまで上方にスライドさせ、そして軸受段部２４、２５を突起１６、１７に係合させた状態で、スライド部材２０を、本体部分１０に対して略９０°回動させて倒し、第２縦係合溝２１、２２を縦枠杆５１から外す。この後、第１縦係合溝１１、１２を縦枠杆５１から外し、また横係合溝１３を横杆５２から外す。これにより、上記実施例の連結具を網板５０から外すことができる。
【００２４】
したがって、本体部分１０の背面とスライド部材２０の背面をカゴ内部に向けた状態において、カゴ内の犬、猫等が、これら背面を引っ掻いたり、咬んだりしても、連結具が縦枠杆５１、横杆５２から外れるおそれはなく、網板５０同士を確実に連結しておくことができる。
【００２５】
【発明の効果】
以上説明したように、本発明の連結具によれば、本体部分と、この本体部分に対して軸線方向にスライド可能で、本体部分から最も離れた位置までスライドさせたとき、該スライド位置で本体部分に対して回動可能で、且つ本体部分に最も接近した位置までスライドさせたとき、該位置で本体部分と係脱自在に係合し得るように連結されたスライド部材２０とから構成し、そして本体部分に網板の縦枠杆と横杆に嵌合する係合溝を設け、またスライド部材に網板の縦枠杆に嵌合する係合溝を設けたので、縦枠杆を係合溝内に強固に圧入させるようなことをしなくても、網板同士を確実に連結しておくことができる上に、犬、猫等が引っ掻いたり、咬んだりしても外れるおそれはない。
【図面の簡単な説明】
【図１】本発明の連結具の一実施例を示す正面図である。
【図２】同平面図である。
【図３】図１の連結具の本体部分の正面図である。
【図４】同平面図である。
【図５】同底面図である。
【図６】同側面図である。
【図７】図１の連結具のスライド部材の正面図である。
【図８】同平面図である。
【図９】同側面図である。
【図１０】図１に示す連結具を網板に取り付ける過程を説明するための一部切欠して示した説明側面図であって、初め段階を示している。
【図１１】図１に示す連結具を網板に取り付ける過程を説明するための一部切欠して示した説明側面図であって、中間段階を示している。
【図１２】図１に示す連結具を網板に取り付ける過程を説明するための一部切欠して示した説明側面図であって、最終段階を示している。
【図１３】図１に示す連結具を網板に取り付ける過程を説明するための説明斜視図であって、準備段階を示している。
【図１４】図１に示す連結具を網板に取り付ける過程を説明するための説明斜視図であって、図１０と同じ段階を示している。
【図１５】図１に示す連結具を網板に取り付ける過程を説明するための説明斜視図であって図１２と同じ段階を示している。
【図１６】図１の連結具を使用して組み立てたカゴの斜視図である。
【符号の説明】
１０  本体部分
１１、１２  第１縦係合溝
１３  横係合溝
１４、１５  連結アーム
１６、１７  突起
２０  スライド部材
２１、２２  第２縦係合溝
２３  連結孔
２４、２５  軸受段部
２６  係止段部
【図１】
0003856899.tif 000002
【図２】
0003856899.tif 000003
【図３】
0003856899.tif 000004
【図４】
0003856899.tif 000005
【図５】
0003856899.tif 000006
【図６】
0003856899.tif 000007
【図７】
0003856899.tif 000008
【図８】
0003856899.tif 000009
【図９】
0003856899.tif 000010
【図１０】
0003856899.tif 000011
【図１１】
0003856899.tif 000012
【図１２】
0003856899.tif 000013
【図１３】
0003856899.tif 000014
【図１４】
0003856899.tif 000015
【図１５】
0003856899.tif 000016
【図１６】
0003856899.tif 000017